(57)【要約】      （修正有）【課題】市町村や館内に設置されているローカル放送設備へ、緊急告知情報を出力する緊急告知ラジオを提供する。【解決手段】ローカル放送設備が接続された状態で緊急告知情報の開始に係る緊急告知特定信号を検出した場合に、緊急告知情報録音部１１は緊急告知情報の録音を開始し、外部機器起動部１３はローカル放送設備２を起動し、外部出力部１４は、録音した又は録音開始した緊急告知情報を冒頭からローカル放送設備２へ出力する。【選択図】図１
2016207178.tif 000002
【特許請求の範囲】
【請求項１】
所定の公共放送電波を受信し、前記受信した公共放送電波から緊急告知情報の開始に係る緊急告知特定信号を検出し、前記検出した緊急告知特定信号に係る緊急告知情報を受信および再生する緊急告知ラジオにおいて、
前記受信した緊急告知情報を録音する緊急告知情報録音手段と、自緊急告知ラジオを所定のローカル放送設備に接続するローカル放送設備接続手段と、自緊急告知ラジオが前記ローカル放送設備に接続された状態か否かを判定するローカル放送設備接続判定手段と、前記ローカル放送設備の一部または全てを起動するローカル放送設備起動手段と、を有し、
前記ローカル放送設備に接続された状態で前記緊急告知特定信号を検出し、前記検出した緊急告知特定信号に係る緊急告知情報を受信した場合に、前記受信した緊急告知情報の録音を開始すると共に、前記ローカル放送設備起動手段は前記ローカル放送設備の一部または全ての機能を起動し、前記録音した緊急告知情報を前記ローカル放送設備へ送出することを特徴とするローカル放送設備と連携する緊急告知ラジオ。
【請求項２】
請求項１に記載の緊急告知ラジオにおいて、
前記ローカル放送設備に接続されていない状態で前記緊急告知特定信号を検出し、前記検出した緊急告知特定信号に係る緊急告知情報を録音した場合に、自緊急告知ラジオが前記ローカル放送設備に接続された状態になったか否かを監視し、自緊急告知ラジオが前記ローカル放送設備に接続された状態になったと判定したならば、前記録音した緊急告知情報を前記ローカル放送設備へ送出することを特徴とするローカル放送設備と連携する緊急告知ラジオ。
【発明の詳細な説明】
【技術分野】
【０００１】
本発明は、緊急告知放送を受信すると共に、所定の地域内または館内にローカル情報を放送するローカル放送設備と連携し、受信した緊急告知放送を、ローカル放送設備側へ出力する緊急告知ラジオに関する。
【背景技術】
【０００２】
市町村等に設けられているローカルな防災情報報知システムとして、防災情報を専用波で発信する親局と、前記親局が発信する前記専用波を受信できる複数の専用受信機と、前記親局から受信した前記防災情報を放送波で再発信する再送信子局と、前記再送信子局が発信する前記放送波を受信できる放送受信機と、を備えるシステムがある（例えば、特許文献１）。
【０００３】
このシステムは、親局から受信した防災情報を放送波で再発信する子局を備えるものであり、各家庭に普及している一般的な放送受信機を利用することを可能としていることから、防災情報の確実な伝達を強化できる効果がある。
【０００４】
しかしながら、近年、一般放送波に重畳して放送される緊急告知情報を受信する緊急告知ラジオも普及しつつあり、この緊急告知ラジオが受信する緊急告知情報を、市町村や館内に設置されているローカル放送設備側へ出力することも極めて有効である。特許文献１に記載されている技術はこの点への考慮に欠けている。
【先行技術文献】
【特許文献】
【０００５】
【特許文献１】特開２００７−１７４４８５公報
【発明の概要】
【発明が解決しようとする課題】
【０００６】
そこで、本発明の課題は、一般放送波に重畳して放送される緊急告知情報を受信した場合に、受信した緊急告知情報を、市町村や館内に設置されているローカル放送設備側へ出力することができる、ローカル放送設備と連携する緊急告知ラジオを提供することにある。
【課題を解決するための手段】
【０００７】
上記課題を解決するために、本発明は、所定の公共放送電波を受信し、前記受信した公共放送電波から緊急告知情報の開始に係る緊急告知特定信号を検出し、前記検出した緊急告知特定信号に係る緊急告知情報を受信および再生する緊急告知ラジオにおいて、前記受信した緊急告知情報を録音する緊急告知情報録音手段と、自緊急告知ラジオを所定のローカル放送設備に接続するローカル放送設備接続手段と、自緊急告知ラジオが前記ローカル放送設備に接続された状態か否かを判定するローカル放送設備接続判定手段と、前記ローカル放送設備の一部または全てを起動するローカル放送設備起動手段と、を有し、前記ローカル放送設備に接続された状態で前記緊急告知特定信号を検出し、前記検出した緊急告知特定信号に係る緊急告知情報を受信した場合に、前記受信した緊急告知情報の録音を開始すると共に、前記ローカル放送設備起動手段は前記ローカル放送設備の一部または全ての機能を起動し、前記録音した緊急告知情報を前記ローカル放送設備へ送出することを特徴とする。
【発明の効果】
【０００８】
本発明によれば、一般放送波に重畳して放送される緊急告知情報を受信した場合に、受信した緊急告知情報を、市町村や館内に設置されている既存のローカル放送設備側へ自動的に出力する緊急告知ラジオを提供できる。
【０００９】
特に、受信した緊急告知情報を録音しておく緊急告知情報録音手段、およびローカル放送設備に接続された状態か否かを判定するローカル放送設備接続判定手段を有しているため、ローカル放送設備側と接続されていない状態で緊急告知情報を受信し、ローカル放送設備側との接続に時間が掛かった場合であっても、録音した冒頭からの緊急告知情報を前記ローカル放送設備へ出力できるので、緊急告知情報の欠落を防止できるという効果がある。
【図面の簡単な説明】
【００１０】
【図１】本発明の実施形態に係るブロック構成図および全体構成図である。
【図２】本発明の実施形態に係る動作フローチャートである。
【発明を実施するための形態】
【００１１】
以下、本発明の実施の形態について、図を用いて説明する。
【００１２】
図１は本発明による緊急告知ラジオ１（以下、本装置１）およびローカル放送設備２のブロック構成図、および全体構成図である。
【００１３】
本装置１は、一般放送波に重畳して放送される緊急告知情報を受信し、受信した緊急告知情報を再生する緊急告知ラジオである。本装置１は、所定のローカル放送設備２と接続する機能を有し、ローカル放送設備２と接続されている場合に、本装置１は受信した緊急告知情報をローカル放送設備２へ繰り返し出力する機能を有する。なお、ローカル放送設備２が起動されていない場合、本装置１は、ローカル放送設備２の一部または全ての機能を起動する。
【００１４】
ローカル放送設備２は、市町村等の特定エリアや、特定の館内（学校，病院，公共施設，オフィス等）へローカル情報を放送する設備であり、操作部（図示せず）を含む制御部２０の制御に従って、ローカル放送用のマイク３から入力した音声信号を音声ミキサ２１で他の音声と合成し、拡声アンプ２２で増幅し、１以上の拡声スピーカ４で所定のエリア内または館内に拡声音声を出力する。
【００１５】
次に、本装置１の内部ブロック構成について説明する。本装置１は、ラジオ放送受信部１０、緊急告知情報録音部１１、緊急告知特定信号検出部１２、外部機器起動部１３、外部出力部１４、操作部１５、スピーカ１６、表示１７、音声ミキサ部２１、拡声アンプ２２から構成される。
【００１６】
ラジオ放送受信部１０は、ラジオ放送電波を受信して音声再生する手段であって、操作部１５に為された操作内容に応じて、受信周波数の選択、スピーカ１６から出力する再生音量の調整、表示１７に表示する情報の制御等を行う。ラジオ放送電波を受信／再生する装置としての一般的な機能は、このラジオ放送受信部１０が実行するものとし、詳細な説明は省略する。なお、ラジオ放送受信部１０は、本装置１の全体も制御する。
【００１７】
緊急告知特定信号検出部１２は、ラジオ放送電波に重畳して放送される緊急告知情報の開始に係る緊急告知特定信号を検出する手段である。緊急告知特定信号を検出すると、緊急告知情報録音部１１と外部出力部１４と外部機器起動部１３を起動する。
【００１８】
外部機器駆動部１３は、ローカル放送設備２等の本装置１と接続された外部機器を起動する手段である。本装置１と接続されたローカル放送設備２が待機中であった場合には、ローカル放送設備２の制御部２０へ起動信号を出力し、ローカル放送設備２の電源を自動的に投入し、音声ミキサ２１，拡声アンプ２２を介して、本装置１の外部出力部１４が出力する音声信号（緊急告知情報）を拡声スピーカ４から増幅再生させる。これにより、ローカル放送設備２側のオペレータが不在であっても、ローカル放送設備２を介して緊急告知情報を放送できる。起動するローカル放送設備２側の機能は、緊急告知情報を拡声スピーカ４から増幅再生させるのに必要な部分的な機能（例えば、拡声アンプ２２）であってもよい。
【００１９】
外部出力部１４は、緊急告知特定信号検出部１２からの指示により、ローカル放送設備２の制御部２０を介して、音声ミキサ２１へ緊急告知情報録音部１１からの緊急告知情報を出力する手段である。
【００２０】
操作部１５は、本装置１を操作する手段であって、ラジオ放送の受信操作に係る一般的なスイッチ類やディスプレイ類を備えている。なお、図示しないが、スイッチ類としては複数のプリセットスイッチが含まれており、操作者はそのプリセットスイッチを押下することで、設定されているラジオ放送のＣＨを選択することが出来る。
【００２１】
スピーカ１６は、ラジオ放送受信部１０から放送音声または緊急告知音声を再生する音声出力手段であり、一般的なラジオのイヤホンやスピーカと同じである。
【００２２】
表示１７は、ラジオ放送受信部１０の情報を表示する手段であって、受信しているＣＨや緊急告知情報に係る情報を表示する手段である。なお、ラジオ放送電波に重畳して放送される緊急告知情報としてテキストデータが再生された場合、例えば、再生されたテキストデータをテロップ表示することも可能である。なお、再生されたテキストデータを外部出力部１４から外部に設置されている大画面ディスプレイ（図示せず）へ出力することも可能である。
【００２３】
図２は、本装置１の動作フローチャートである。以下、図１を併用して本フローを説明する。本フローは電源が投入された状態でスタートし（Ｓ２００）、待機状態において、Ｓ２０１とＳ２０２のイベントの有無を循環して監視している。
【００２４】
緊急告知特定信号を検出していない状態で（Ｓ２０１，ＮＯ）、操作部１５から一般的なラジオ放送受信機として受信起動操作が為された場合（Ｓ２０２，ＹＥＳ）、ラジオ放送受信部１０は、一般ラジオ放送の受信および再生を開始し（Ｓ２０３）、Ｓ２０１へ戻る。Ｓ２０２でＮＯであれば、Ｓ２０３をスキップして、Ｓ２０１へ戻る。
【００２５】
Ｓ２０１において、一般ラジオ放送の受信および再生を開始しているか否かに関らず、緊急告知特定信号検出部１２が緊急告知特定信号を検出した場合（Ｓ２０１，ＹＥＳ）、ラジオ放送受信部１０は、検出した緊急告知特定信号に続く緊急告知情報を抽出し、抽出した緊急告知情報をスピーカ１６から再生開始すると共に（Ｓ２１０）、緊急告知情報録音部１１は、抽出した緊急告知情報の録音を開始し（Ｓ２１１）、Ｓ２２０へ進む。
【００２６】
Ｓ２２０において、本装置１がローカル放送設備２に接続されているか否かを判定し、本装置１はローカル放送設備２に接続されていると判定した場合（Ｓ２２０，ＹＥＳ）、外部機器起動部１３からローカル放送設備２へ起動信号を送出し（Ｓ２２１）、外部出力部１４からローカル放送設備２へ、録音開始した緊急告知情報を送出し（Ｓ２２２）、Ｓ２２３へ進む。ここで、Ｓ２２２における録音開始した緊急告知情報の送出は、録音中であってもよく、その場合は、録音と再生を同時に実行し、再生は録音済みの冒頭部分から開始（所謂、追い駆け再生方式）すればよい。
【００２７】
本装置１がローカル放送設備２に接続されているか否かの判定は、例えば、外部機器起動部１３にローカル放送設備２側からのケーブルコネクタが挿入されているか否か、または外部機器起動部１３にローカル放送設備２側からの何らかの信号（例えば、ローカル放送設備２側の放送音声信号をモニタする信号）が入力しているか否かを判定すればよい。なお、ローカル放送設備２が起動中であれば、Ｓ２２１をスキップするようにしてもよい（図示せず）。
【００２８】
Ｓ２２０でＮＯの場合、ローカル放送設備２側への緊急告知情報の送出をキャンセルする操作が操作部１５から為されない場合、またはタイムアウト（例えば、緊急告知特定信号を検出してから１０分経過）していない場合（Ｓ２１２，ＮＯ）、Ｓ２２０へ戻り、本装置１がローカル放送設備２と接続されることを待つ。Ｓ２１２でＹＥＳの場合は、次の緊急告知特定信号の受信待機のために、Ｓ２０１へ戻る。
【００２９】
ところで、Ｓ２２０でＮＯの場合とは、例えば、携帯型のラジオ受信機として本装置１を持ち出した状態で、緊急告知特定信号を検出した場合である。そして、そのような場合であっても、本装置１は、緊急告知情報を録音しているので、本装置１をローカル放送設備２に接続した後に、その録音した緊急告知情報を冒頭からローカル放送設備２側へ送出することができる。
【００３０】
Ｓ２２３において、緊急告知情報を繰り返し出力するモードが本装置１に設定されている場合、または繰り返し出力するモードを起動する指示が操作部１５から為された場合（Ｓ２２３，ＹＥＳ）、Ｓ２２２に戻り、Ｓ２２２の処理（緊急告知情報録音部１１に録音した緊急告知情報の送出）を繰り返す。なお、この緊急告知情報を繰り返し出力する設定や指示は、ラジオ放送電波に重畳された緊急告知情報の放送が停止した後も継続するので、なるべく多数の者へ情報を伝達する上で有用である。Ｓ２２３でＮＯであれば、Ｓ２０１へ戻る。
【００３１】
以上、本装置１の実施形態に係る構成および動作フローについて説明した。本実施形態によれば、受信した緊急告知情報を、市町村や館内に設置されている既存のローカル放送設備側へ自動的に出力する緊急告知ラジオを提供できる。特に、受信した緊急告知情報を録音しておく緊急告知情報録音手段、およびローカル放送設備に接続された状態か否かを判定するローカル放送設備接続判定手段を有しているため、ローカル放送設備側の起動に時間が掛かる場合であっても、録音した緊急告知情報の冒頭から前記ローカル放送設備へ送出できるので、伝達すべき緊急告知情報の冒頭部分が欠落する可能性が小さいという効果がある。
【００３２】
なお、本実施形態において、ローカル放送設備は、音声の拡声であると説明したが、電光掲示板等の表示装置であってもよい。
【符号の説明】
【００３３】
１・・・緊急告知ラジオ
２・・・ローカル放送設備
３・・・マイク（ローカル放送用）
４・・・拡声スピーカ
１０・・・ラジオ放送受信部
１１・・・緊急告知情報録音部
１２・・・緊急告知特定信号検出部
１３・・・外部機器起動部
１４・・・外部出力部
１５・・・操作部
１６・・・スピーカ
２１・・・音声ミキサ
２２・・・拡声アンプ
【図１】
2016207178.tif 000003
【図２】
2016207178.tif 000004